(57)【要約】【課題】  立体的な装飾を施したネイルアートであっても、即座に隠すことのできるネイルアートの被覆シールを提供する。【解決手段】柔軟性及び伸縮性を有し、爪の表面に形成されたネイルアートを隠す不透明な基材層２と、基材層２の背面に積層され、ネイルアートに対して接着及び剥離可能な粘着層１とを備えたネイルアートの被覆シールであって、粘着層１により基材層２をネイルアートに接着した場合に、基材層２がネイルアートを形成した爪を被覆する大きさを有する。【選択図】図１
0003203305.tif 000002
【実用新案登録請求の範囲】
【請求項１】
柔軟性及び伸縮性を有し、爪に形成されたネイルアートを隠す不透明な基材層と、前記基材層に積層され、前記ネイルアートに対して接着及び剥離可能な粘着層とを備えたネイルアートの被覆シールであって、
前記粘着層により基材層を前記ネイルアートに接着した場合に、基材層が前記ネイルアートを形成した爪を被覆する大きさを有することを特徴とするネイルアートの被覆シール。
【請求項２】
前記基材層は、不織布又は編織布であることを特徴とする請求項１記載のネイルアートの被覆シール。
【請求項３】
前記粘着層は、アクリル系粘着剤を含むことを特徴とする請求項１又は２に記載のネイルアートの被覆シール。
【請求項４】
前記粘着層は、接着力が１．５N／ｃｍ以上２．０N／ｃｍ以下であることを特徴とする請求項１〜３いずれか１項記載のネイルアートの被覆シール。
【請求項５】
前記粘着層及び前記基板層の合計厚みが、０．１〜０．２ｍｍであることを特徴とする請求項１〜４いずれか１項記載のネイルアートの被覆シール。
【考案の詳細な説明】
【技術分野】
【０００１】
本考案は、一般に「ネイルアート」と称される爪の表面に施された装飾物を、爪から除去することなく隠すことのできるネイルアートの被覆シールに関する。
【背景技術】
【０００２】
手や足の爪に装飾を施すネイルアートとして、ネイルマニキュアのほか、ジェルネイル、スカルプネイル等の直接爪の上に形成する装飾物がある。
【０００３】
ジェルネイル、スカルプネイル等の装飾物は、ジェルネイル材料又はアクリルネイル材料を直接爪に塗布した後、紫外線又は可視光線で硬化させて形成する。このような装飾物は、硬化性を有し、長期間の日常生活に耐え得る強度を有するため、通常３週間〜１ヶ月程度にわたって装着される。
【０００４】
装飾物は、硬化性に加えて、耐溶剤性に優れるため、溶剤のみでは除去できない。使用者は、装飾物の表面をサンディングにより削ったり、ネイルマシンを使用して機械的に除去する必要がある。このような装飾物の除去作業には、時間を要するうえ、ネイリストの高い技術力が求められる。そのため、使用者が自分で除去することは難しい。
【先行技術文献】
【特許文献】
【０００５】
【特許文献１】特開２０１０−２５０１３８号公報
【考案の概要】
【考案が解決しようとする課題】
【０００６】
仏事や行事の際など、出席者がネイルアートを施していることは不適当な場合がある。しかし、急な仏事の際等は、ネイルアートがジェルネイル、スカルプネイル等の装飾物の場合は特に、除去が時間的、費用的に困難である。また、装飾物の着脱を短期間のうちに繰り返すと、着脱の度に頻繁に爪を削ることとなり、爪が傷む。
【０００７】
本考案は、以上のような問題を解決するために提案されたものであり、その目的は、装飾物であるネイルアートの上に貼付して、即座にネイルアートを隠すことができるネイルアートの被覆シールを提供することにある。
【課題を解決するための手段】
【０００８】
本考案は、柔軟性及び伸縮性を有し、爪の表面に形成されたネイルアートを隠す不透明な基材層と、基材層の背面に積層され、ネイルアートに対して接着及び剥離可能な粘着層とを備えたネイルアートの被覆シールであって、粘着層により基材層をネイルアートに接着した場合に、基材層がネイルアートを形成した爪を被覆する大きさを有することを特徴とする。
【０００９】
本考案のネイルアートの被覆シールは、次のような構成を有していてもよい。
（１）基材層は、不織布又は編織布である。
（２）粘着層は、アクリル系粘着剤を含む。
（３）粘着層は、接着力が１．５N／ｃｍ以上２．０N／ｃｍ以下である。
（４）基材層と粘着層の合計厚みが、０．１〜０．２ｍｍである。
【考案の効果】
【００１０】
本考案のネイルアートの被覆シールは、基材層が柔軟性及び伸縮性を有するため、立体的な装飾が施されたジェルネイル、スカルプネイル等の装飾物のネイルアートの表面にも、馴染ませて容易に貼り付けることができる。そして、基材層が不透明なために、被覆シールに覆われたネイルアートを隠すことができる。これにより、使用者は急な仏事等にも、ネイルアートを除去することなく対応できる。そのため、余分な時間、費用をかけてネイルアートを除去する必要がなく、再度爪にネイルアートを施す必要がないので利便性が高い。
【図面の簡単な説明】
【００１１】
【図１】第１実施形態のネイルアートの被覆シールの平面図
【図２】第１実施形態のネイルアートの被覆シールの断面図
【考案を実施するための形態】
【００１２】
［第１の実施形態］
（構成）
以下、ネイルアートの被覆シールの実施の形態について、図１及び図２を参照して具体的に説明する。
【００１３】
（１）ネイルアートの被覆シールの全体構成
本実施形態のネイルアートの被覆シール１００は、一面が粘着面１０であり、他面が肌色等に着色されたシートである。使用者は、粘着面１０を爪の上に施されたネイルアートの表面に接着させることで使用する。ネイルアートは、マニキュアのほか、ジェルネイル、スカルプネイル等が挙げられる。これらのネイルアートは、マニキュア剤、ジェルネイル材料又はアクリルネイル材料等にラインストーンやスタッズ、パーツ等を載せてから硬化させることで、立体的な装飾を施すこともできる。本実施形態のネイルアートの被覆シール１００は、このような装飾物の上に接着させて使用する。
【００１４】
ネイルアートの被覆シール１００の形状及び大きさは特に限定されないが、例えば、図１のような、爪の形状を模した略矩形状である。四隅の角部が丸みを帯びた直方体であり、一方の短辺は直線であり、もう一方の短辺は丸みを帯びている。ネイルアートの被覆シール１００は、基材層２に積層された粘着層１の粘着面１０に、剥離紙３が貼り付けられている四角形のシート上に、個々の爪用のネイルアートの被覆シール１００ａ〜１００ｊが剥離可能に形成されている。
【００１５】
ネイルアートの被覆シール１００ａ〜１００ｊは、平均的な爪の幅及び長さを基準として爪全体を覆うことができる大きさである。立体的な装飾物及び爪全体を覆うことができるよう、幅及び長さに余裕を持たせてもよい。ネイルアートの被覆シール１００ａ〜１００ｊは、各指用に大きさが異なる。例えば、親指用のネイルアートの被覆シール１００ａ及び１００ｂは幅が１５．２ｍｍ、長さが３０．０ｍｍである。小指用のネイルアートの被覆シール１００ｉ及び１００ｊは、幅が９．５ｍｍ、長さが２５．０ｍｍである。人差し指、中指、薬指用のネイルアートの被覆シール１００ｃ〜１００ｈは幅が１２．０ｍｍ、長さが２５．０ｍｍである。使用者は、爪幅よりもネイルアートの被覆シール１００幅が大きければ、手やはさみで端を切ってサイズを合わせることができる。ネイルアートの被覆シール１００の長さが爪よりも長ければ、はみ出た箇所を切る又は爪の裏側に折り込むことができる。
【００１６】
ネイルアートの被覆シール１００の厚みは、ネイルアートの被覆シール１００として使用できる厚さであれば特に限定されないが、０．１〜０．２ｍｍ程度が好ましい。薄すぎると強度が低下し、装飾物のラインストーンやスタッズが角部を有する場合に、ネイルアートの被覆シール１００が破れてしまう虞がある。厚すぎると、ネイルアートの被覆シール１００の端部が引っ掛かりやすくなるために、ネイルアートの被覆シール１００が剥がれやすくなる。また、厚すぎると、ネイルアートの被覆シール１００の柔軟性が低下し、立体的な装飾物の細かな凸凹に馴染みにくくなり、装着感が悪化する。ネイルアートの被覆シール１００の厚みは、最適な強度及び装着感を満たすため、０．１４ｍｍが特に好ましい。
【００１７】
ネイルアートの被覆シール１００は、図２に示すように、基材層２と粘着層１から構成されている。基材層２は、ネイルアートの被覆シール１００の貼付時に外部から視認可能な層である。粘着層１は、爪に貼り付けるための粘着剤を含む層である。粘着層１の露出面が、ネイルアートに貼り付ける接着面となる粘着面１０である。粘着面１０には、剥離紙３が剥離可能に粘着されている。
【００１８】
（２）基材層２
基材層２は、装飾物に順応しうる適度な柔軟性、伸縮性及び強度を備えるシート状の不透明な不織布又は編織布であり、微小孔構造を有する。基材層２は、防水加工が施されている。
【００１９】
不織布及び編織布の素材例としては、レーヨン、ポリエチレン、ポリエステル、ポリプロピレン、ナイロン、アクリル、ビニロン等の各種繊維並びにこれらの複合繊維によるものが挙げられる。適度な柔軟性を有するレーヨンの不織布が特に好ましい。
【００２０】
基材層２は、顔料や染料等の着色剤を含有する。着色剤は、特に限定されないが、例えば、ネイルアートの被覆シール１００の色調を肌色に合わせるため、黄色系、オレンジ色系、ブラウン系である。ネイルアートの被覆シール１００の色調を濃くすることで、ネイルアートの被覆シール１００の下に隠したネイルアートが透けにくくなる。
【００２１】
（３）粘着層１
粘着層１は基材層２の片面全面に、粘着剤成分が積層されている。粘着剤成分は、アクリル系粘着剤を含む。アクリル系粘着剤としては、アクリル酸とアクリル酸エステルの共重合体を主成分に粘着付与剤、酸化防止剤等を混合したものを挙げることができる。ここで主成分とは、５０質量％を超えて含有される成分をいう。アクリル系粘着剤は、接着力、保持力及び疎水性に優れる。
【００２２】
粘着層１の接着力は、スチール板に対して１．５N／ｃｍ以上２．０N／ｃｍ以下である。接着力が強すぎると、ネイルアートの被覆シール１００を剥がす際にネイルアートに施された装飾物が取れたり、剥がしにくくなり、使用感を損なう。接着力が弱すぎると、ネイルアートの被覆シール１００が剥がれやすくなり、長時間の使用に耐えない。特に好ましい接着力は１．６N／ｃｍである。
【００２３】
（４）剥離紙３
剥離紙３は、粘着面１０を保護する。使用者は、使用時に、剥離紙３を剥離する。剥離紙３としては、例えば、クラフト紙などの基材の表面に、ポリエチレンなどの目止め層を介してシリコーン樹脂などの剥離層が積層されたものを採用することができる。剥離層の露出面が、粘着面１０と接触するよう貼り付けられている。剥離紙３は、例えば、図２のように複数のネイルアートの被覆シール１００に対して１枚の大判のものを使用してもよい。
【００２４】
前記のような構成を有する基材層２及び粘着層１が一体化されたシートとして、例えば、３Ｍ（登録商標）マイクロポア（登録商標）サージカルテープを用いることが好ましい。
【００２５】
（５）使用方法
以下、本実施形態のネイルアートの被覆シール１００の使用方法を説明する。使用者は、各爪のサイズに応じたネイルアートの被覆シール１００を選び、剥離紙３から剥離する。ネイルアートの被覆シール１００の粘着面１０を、爪の生え際から先端に向けてネイルアートの表面に貼り付ける。爪からはみ出たネイルアートの被覆シール１００の両脇及び長さ部分を、はさみなどでカットする。爪からはみでたネイルアートの被覆シール１００の長さ部分は、わずかであれば爪の裏側に折り込むように貼り付ける。これらの一連の作業を全ての指について行う。ネイルアートを隠す必要がなくなった場合は、ネイルアートの被覆シール１００の端部から剥がし取る。
【００２６】
（効果）
（１）本実施形態のネイルアートの被覆シール１００は、柔軟性及び伸縮性を有し、爪の表面に形成されたネイルアートを隠す不透明な基材層２と、基材層２の背面に積層され、ネイルアートに対して接着及び剥離可能な粘着層１とを備え、粘着層１により基材層２をネイルアートに接着した場合に、基材層２がネイルアートを形成した爪を被覆する大きさを有する。
【００２７】
従来、爪の上に貼り付けるシールとしては、爪の装飾を目的とするネイルシールがあった。従来のネイルシールは、装飾を目的とするため、素爪、あるいはネイルアートが施されていない状態の人工爪の上に貼り付ける。そのため、爪表面の曲面に添う程度のわずかな伸縮性を有するに留まり、立体的な装飾が施されたネイルアート等には貼り付けることができなかった。
【００２８】
本実施例のネイルアートの被覆シール１００は、柔軟性及び伸縮性を有することによって、使用者は立体的な装飾物の表面に沿うようにネイルアートの被覆シール１００を密着させることができる。そして、基材層２が不透明であるため、基材層に覆われたネイルアートを隠すことができる。そのため、どのようなネイルアートの上にも貼り付けることができ、即座に隠すことができる。
【００２９】
（２）本実施形態の基材層２は、不織布又は編織布である。これにより、ネイルアートの被覆シール１００は適度な柔軟性、伸縮性及び微小孔構造を有する。そのため、立体的な装飾物の表面に沿ってネイルアートの被覆シール１００を密着させることができるうえ、微小孔構造によって、装飾物が角部を有していても、角部の先端部分が微小孔に入り込み、ネイルアートの被覆シール１００が破れにくい。そのため、立体的な装飾物を有するネイルアートの上にも貼り付けて、即座に隠すことができる。
【００３０】
（３）本実施形態の粘着層１は、アクリル系粘着剤を含む。これにより、粘着層１は接着力、保持力及び疎水性に優れる。粘着層１が接着力に優れるため、長時間ネイルアートの被覆シール１００がはがれにくい。粘着層１が疎水性に優れることから、使用者がネイルアートの被覆シール１００を貼ったまま手を洗ったり、炊事をしても、長時間ネイルアートの被覆シール１００がはがれにくい。また、粘着層１が優れた保持力を有するため、剥がす際にネイルアート表面に粘着剤成分が残ることがなく、ネイルアート表面の光沢を損なうことがない。
【００３１】
（４）本実施形態の粘着層１は、接着力が１．５Ｎ／ｃｍ以上２．０Ｎ／ｃｍ以下である。これにより、ネイルアートの被覆シール１００は適度な接着力を有するため、使用者が容易に剥がすことができ、ネイルアートの被覆シール１００を剥がす際にネイルアートに施された装飾物が取れることがない。
【００３２】
（５）本実施形態の基板層２及び粘着層１の合計厚みは、０．１〜０．２ｍｍである。これにより、ネイルアートの被覆シール１００は適度な強度を有し、装飾物が角部を有するラインストーンやスタッズである場合でも、ネイルアートの被覆シール１００が破れることなく貼り付けることができる。また、適度な薄さであるために、端部が引っかかりにくく、剥がれにくいうえ、装着感を損なうことがない。
【００３３】
［他の実施形態］
本考案は、前記の実施形態に限定されるものではなく、次のような実施形態も包含し、考案の要旨を逸脱しない範囲で、種々の省略、置き換え、変更を行うことができる。
【００３４】
（１）本実施形態のネイルアートの被覆シール１００は、粘着層１により、基材層２の片面の全面が覆われている状態としたが、粘着層１が、粘着剤成分の塗布部と非塗布部よりなるパターン形状であってもよい。パターン形状は、例えば、粘着剤成分の塗布部と非塗布部分とのストライプ形状である。すなわち、帯状の粘着剤成分が一定の間隔を開けて基材層２の片面に複数本並び、その隙間は、非塗布部とする。これにより、接着面積が小さくなるため、ネイルアートの被覆シール１００が剥がしやすくなり、剥がす際にネイルアートを損なう虞が低減される。
【００３５】
（２）粘着剤成分は、可塑剤を含んでも良い。可塑剤は、粘着剤を軟質にし、剥離時に粘着剤組成物が伸びやすくなる。これにより、剥離時に、爪に対する引っ張り力の伝達速度が緩み、ネイルアート上の装飾物が取れること等を防ぐことができる。可塑剤は疎水性油剤または親水性油剤類である。可塑剤として親水性油剤を利用すると、親水性油剤が粘着層１中に分散し、粘着面１０において、親水性油剤が接着面積を制限する。そのため、接着力を低減させ、剥離時におけるネイルアート表面への引っ張り力が低減される。可塑剤の量は適宜選択されるべきであるが、柔軟性を与えるためには粘着剤成分の１重量％から２０重量％の添加が好ましく、３重量％から１０重量％が特に好ましい。
【００３６】
（３）粘着剤成分は酸化防止剤、光安定剤、紫外線吸収剤、連鎖移動剤、反応禁止剤などの添加剤を含んでもよい。これらを添加することで、光劣化等の経年劣化を抑制することができる。
【００３７】
（４）本実施形態のネイルアートの被覆シール１００は、基材層２と粘着層１から構成されるシートに、個々の爪用のネイルアートの被覆シール１００ａ〜１００ｊが打ち抜かれている構成としたが、ネイルアートの被覆シール１００ａ〜１００ｊのみが剥離紙３に貼り付けられている構成としてもよい。ネイルアートの被覆シール１００として用いる部分にのみ、基材層２と粘着層１から構成されるシートを用いるため、製造コストを下げることができる。
【００３８】
（５）上記（４）で説明した、ネイルアートの被覆シール１００ａ〜１００ｊのみが剥離紙３に貼り付けられている構成において、剥離紙３として、透明のフィルムを採用してもよい。爪に剥離紙３が接触するようにネイルアートの被覆シール１００ａ〜１００ｊをあてると、透明のフィルムごしに爪とネイルアートの被覆シール１００ａ〜１００ｊの大きさを比較することができる。そのため、貼り付ける前にネイルアートの被覆シール１００ａ〜１００ｊのおおよそのはみ出し部分をカットすることができ、利便性が向上する。
【００３９】
（６）本実施形態の剥離紙３は、複数のネイルアートの被覆シール１００に対して１枚の大判のものを使用したが、ネイルアートの被覆シール１００ａ〜１００ｊに１対１の関係で使用してもよい。個々のネイルアートの被覆シール１００ａ〜１００ｊがばらばらになっているので、シート全体が小さくなり、利便性が向上する。
【符号の説明】
【００４０】
１００ａ〜ｊ  ネイルアートの被覆シール１００
１  粘着層
１０  粘着面
２  基材層
３  剥離紙
【図１】
0003203305.tif 000003
【図２】
0003203305.tif 000004